(57)【要約】【課題】階段の前端コーナ部の外面と階段用マットの屈曲部の内面との間の隙間をほぼ完全に、かつ簡単に埋めることが可能な階段用マットの施工方法を提供する。【解決手段】階段に取り付けられる階段用マット１０であって、階段の踏み込み面を覆う踏み込み部１２と、踏み込み部１２の前端に連接され、下方に向けて屈曲する屈曲部１４と、屈曲部１４の下端に連接され、階段の蹴上げ面を覆う蹴上げ部１６と、屈曲部１４の内面に取り付けられる硬度７０以下の棒状のゴム体１８とを備える。【選択図】図４
2009144333.tif 000002
【特許請求の範囲】
【請求項１】
階段に取り付けられる階段用マットであって、
前記階段の踏み込み面を覆う踏み込み部と、
前記踏み込み部の前端に連接され、下方に向けて屈曲する屈曲部と、
前記屈曲部の下端に連接され、前記階段の蹴上げ面を覆う蹴上げ部と、
前記屈曲部の内面に取り付けられる硬度７０以下の棒状のゴム体とを備える
ことを特徴とする階段用マット。
【請求項２】
前記屈曲部は、自身の内面に窪みを形成する窪み部を有し、
前記ゴム体は、前記窪み部により形成される前記窪みに取り付けられる
ことを特徴とする請求項１に記載の階段用マット。
【請求項３】
階段の踏み込み面に取り付けられる平板状の踏み込み部と、
前記踏み込み部の前方に連接され、下方に向けて屈曲する屈曲部と、
前記屈曲部の下方に連接され、前記階段の蹴上げ面を覆う蹴上げ部と、
硬度７０以下の棒状のゴム体とを備える階段用マットを階段に取り付ける階段用マットの取付方法であって、
前記ゴム体を前記屈曲部の内面に取り付けるステップと、
前記階段の踏み込み面部または前記踏み込み部に固着用素材を付着させるステップと、
前記階段での前記階段用マットを取り付ける位置を決定するステップと、
決められた前記位置に前記階段用マットを固着させるステップとを含む
ことを特徴とする階段用マットの取付方法。
【請求項４】
階段の踏み込み面に取り付けられる平板状の踏み込み部と、
前記踏み込み部の前方に連接され、下方に向けて屈曲する屈曲部と、
前記屈曲部の下方に連接され、前記階段の蹴上げ面を覆う蹴上げ部と、
硬度７０以下の棒状のゴム体とを備える階段用マットを階段に取り付ける階段用マットの取付方法であって、
前記階段の前端コーナ部に固定用素材を付着させるステップと、
前記階段の踏み込み面部または前記踏み込み部に固着用素材を付着させるステップと、
前記固定用素材が付着した前記前端コーナ部に前記ゴム体を取り付けるステップと、
前記屈曲部の内面に前記ゴム体を取り付けるとともに、前記階段での前記階段用マットを取り付ける位置を決定するステップと、
決められた前記位置に前記階段用マットを固着させるステップとを含む
ことを特徴とする階段用マットの取付方法。
【発明の詳細な説明】
【技術分野】
【０００１】
本発明は、階段用マットおよびその施工方法に関する。
【背景技術】
【０００２】
従来、階段での音の低減、防滑性の向上などのために階段に取り付ける階段用マットが提案されている。階段用マットは、階段の踏み込み面を覆う踏み込み部と、階段の蹴上げ面を覆う蹴上げ部と、踏み込み面の前端と蹴上げ面の上端とをつなぐ階段の前端コーナ部を覆うように屈曲する屈曲部とを有する。
【０００３】
階段用マットの屈曲部、特にその内面は、通常、ほぼ直角に形成されている。これに対して、階段の前端コーナ部の外面は、安全性の観点から、緩やかな曲面であることが多い。そのため、階段用マットを階段に取り付けると、階段用マットの屈曲部の内面と階段の前端コーナ部の外面との間に隙間が生じる場合がある。
【０００４】
このような隙間は、階段を昇降する時に加わる力による階段用マットの亀裂、破れ、剥離などが、前端コーナ部を覆う屈曲部とその近傍において発生する原因になると考えられている。
【０００５】
そこで、階段用マットの破損、剥離などを防止するために、前端コーナ部の外面と階段用マットの内面と間の隙間を埋める技術が開示されている。例えば、特許文献１には、隙間にＬ形桟を介在させて接着剤で階段用マットを固着する技術が記載されている。
【特許文献１】特開平９−１８４２６６号公報
【発明の開示】
【発明が解決しようとする課題】
【０００６】
しかしながら、前端コーナ部の外面の曲率は建物などによって異なる。そのため、特許文献１に記載の技術では、隙間を埋めるためには、種々の曲率に対応したＬ字桟を用意しなければならないという問題がある。
【０００７】
本発明は、このような問題を解決するためになされたものであり、階段の前端コーナ部の外面と階段用マットの屈曲部の内面との間の隙間をほぼ完全に、かつ簡単に埋めることが可能な階段用マットの施工方法を提供することを目的とする。
【課題を解決するための手段】
【０００８】
上記の目的を達成するため、本発明に係る階段用マットは、階段に取り付けられる階段用マットであって、前記階段の踏み込み面を覆う踏み込み部と、前記踏み込み部の前端に連接され、下方に向けて屈曲する屈曲部と、前記屈曲部の下端に連接され、前記階段の蹴上げ面を覆う蹴上げ部と、前記屈曲部の内面に取り付けられる硬度７０以下の棒状のゴム体とを備える。
【０００９】
このように、屈曲部の内面にゴム体を備える。このゴム体の硬度は７０以下である。そのため、ゴム体は、前端コーナ部の外面と屈曲部の内面との間の空間を埋めるように変形する。したがって、階段および階段用マットに特別な加工をすることなく簡単に、かつ、上記の空間をほぼ完全に埋めることが可能になる。
【００１０】
また、一般に昇降時に階段用マットが踏まれると、階段用マットは複雑に変形する。上記のように、ゴム体は、一定の柔軟性を有するため、その複雑な変形に追従することができる。したがって、昇降時においても隙間ができることがないため、防滑性を向上させ、衝突音を軽減させることができるだけでなく、昇降時に階段用マットに生じる剪断力などの負荷を軽減することができ、階段用マットの耐久性および耐用性を向上させることが可能になる。
【００１１】
好ましくは、前記屈曲部は、自身の内面に窪みを形成する窪み部を有し、前記ゴム体は、前記窪み部により形成される前記窪みに取り付けられる。
【００１２】
このように、屈曲部の内面は窪みを有し、ゴム体は窪みに取り付けられる。これにより、ゴム体を取り付ける位置の決定が容易になり、階段用マットの施工が容易にすることが可能になる。
【００１３】
また、本発明に係る階段用マットの取付方法は、階段の踏み込み面に取り付けられる平板状の踏み込み部と、前記踏み込み部の前方に連接され、下方に向けて屈曲する屈曲部と、前記屈曲部の下方に連接され、前記階段の蹴上げ面を覆う蹴上げ部と、硬度７０以下の棒状のゴム体とを備える階段用マットを階段に取り付ける階段用マットの取付方法であって、前記ゴム体を前記屈曲部の内面に取り付けるステップと、前記階段の踏み込み面部または前記踏み込み部に固着用素材を付着させるステップと、前記階段での前記階段用マットを取り付ける位置を決定するステップと、決められた前記位置に前記階段用マットを固着させるステップとを含む。
【００１４】
このように、ゴム体を屈曲部の内面に取り付け、ゴム体を含む階段用マットが取り付けられる。通常の階段用マットの取り付けに比べると、ゴム体を屈曲部に取り付ける工程が増えるだけであり、この工程にかかる手間はわずかである。このように、通常の階段用マットの取り付け作業に比べて僅かな手間が増える程度の作業で簡単に、屈曲部の内面と階段の前端コーナ部との間の空間をゴム体で完全に埋めることができる。すなわち、簡単な作業で上記の空間をほぼ完全に埋めることが可能になる。
【００１５】
また、本発明に係る階段用マットの取付方法は、階段の踏み込み面に取り付けられる平板状の踏み込み部と、前記踏み込み部の前方に連接され、下方に向けて屈曲する屈曲部と、前記屈曲部の下方に連接され、前記階段の蹴上げ面を覆う蹴上げ部と、硬度７０以下の棒状のゴム体とを備える階段用マットを階段に取り付ける階段用マットの取付方法であって、前記階段の前端コーナ部に固定用素材を付着させるステップと、前記階段の踏み込み面部または前記踏み込み部に固着用素材を付着させるステップと、前記固定用素材が付着した前記前端コーナ部に前記ゴム体を取り付けるステップと、前記屈曲部の内面に前記ゴム体を取り付けるとともに、前記階段での前記階段用マットを取り付ける位置を決定するステップと、決められた前記位置に前記階段用マットを固着させるステップとを含む。
【００１６】
このように、階段の前端コーナ部にゴム体を取り付け、その後に階段用マットのうち、踏み込み部と屈曲部と蹴上げ部とを階段に取り付ける。通常の階段用マットの取り付けに比べると、ゴム体を階段の前端コーナ部に取り付ける工程が増えるだけであり、この工程にかかる手間はわずかである。また、予め前端コーナ部にゴム体を取り付けておくことによって、そのゴム体と屈曲部の内面とが密着するように階段用マットを取り付ければ階段用マットは正しく取り付けられることとなる。そのため、階段用マットの位置決めが容易になる。したがって、簡単な作業で上記の空間をほぼ完全に埋めることが可能になる。
【発明の効果】
【００１７】
本発明によると、階段用マットを階段に位置決めし、ゴム体とともに取り付けるという簡単な工程で、階段の前端コーナ部と階段用マットの屈曲部との間の空間をほぼ完全に埋めることが可能になる。
【００１８】
また、昇降時の階段用マットの変形に追従してゴム体も変形することができるため、昇降時においても隙間ができることがなく、階段用マットに掛かる昇降時の負荷を軽減することができる。このように、確実に隙間が埋められるため、防滑性の向上、衝突音の軽減だけでなく、階段用マットの耐久性および耐用性を向上させることが可能になる。
【発明を実施するための最良の形態】
【００１９】
本発明の一実施の形態について、図を参照して説明する。
【００２０】
図１は、階段用マットを左上方から俯瞰した斜視図であり、図２は、階段用マットの側面図である。これらの図を参照して、本実施の形態に係る階段用マットの構成を説明する。
【００２１】
階段用マット１０は、階段に取り付けられる、高剛性のゴムを材料とする部材であって、踏み込み部１２と、屈曲部１４と、蹴上げ部１６と、ゴム体１８とを備える。
【００２２】
踏み込み部１２は、階段の踏み込み面を覆う板状の部位である。
【００２３】
踏み込み部１２は、凹凸の模様が形成されている防滑部２０を上面に有する。これにより、昇降時の衝突音を軽減し、防滑性を向上させることが可能になる。
【００２４】
踏み込み部１２は、階段の前端コーナ部（３４：図４参照）に沿う方向の全幅にわたる帯状の目印部２２を前部近傍の上面に有する。ここで、前部近傍とは、前端部を含み、前端部から５センチメートル程度までの範囲をいう。
【００２５】
目印部２２は、踏み込み部１２の前部近傍の所定位置にあり、本体のゴムマットと一体化されて形成されるか、後から本体のゴムマットに接着剤、若しくは両面テープで貼り付けられる、前後の幅が小さく、厚みの薄い部材である。目印部２２の素材は、人が踏み込み部１２と識別しやすい色を有し、また蓄光顔料をいれることにより、蓄光性を持たすことも出来る。これにより、昼夜を問わず、階段の段差の前端部分を歩行者が認識しやすくなり、階段を昇降する時の安全性を向上させることが可能になる。
【００２６】
屈曲部１４は、踏み込み部１２の前部に連続して接続されており、下方に向けて約９０度屈曲している。屈曲部１４は、階段に対向する内面、すなわち、踏み込み部１２の前端から後述する蹴上げ部１６の上端までの内面に窪み部２４を有する。
【００２７】
窪み部２４は、階段の前端コーナ部（３４）に沿う窪みを形成する。本実施の形態の窪みの断面形状は、図２に示されるように、半楕円である。
【００２８】
蹴上げ部１６は、その上端が屈曲部１４の下端に連続して接続されて垂れ下がる板状の部位である。蹴上げ部１６は、下方に向かうほど厚みが薄くなっており、その前面は下方に向かうに従って後方に湾曲している。
【００２９】
これにより、階段昇降時につま足が、蹴上げ部１６の下端に接触して蹴り上げることを減少させることができる。そのため、蹴上げ部１６の下端を蹴り上げることによる剥離を減少させることができ、耐久性および耐用性を向上させることが可能になる。また、蹴上げ部１６の下端につまずくことが減り、安全性が向上する。
【００３０】
ゴム体１８は、窪み部２４により形成される窪みに取り付けられる棒状の部材であり、その断面は楕円形である。ゴム体１８は、硬度７０以下のゴム固形物からなり、例えばゴム発泡体、ゴムスポンジなどからなることが好ましい。
【００３１】
このようなゴム体１８の素材として、具体的には、天然ゴム、スチレンブタジエンゴム、アクリロニトリルゴム、エチレンプロピレンゴム、ブチルゴム、クロロプレンゴム、シリコーンゴム、フッ素ゴム、アクリルゴム、エピクロヒドリンゴム、再生ゴム、ウレタンゴム等、およびこれらの複数種類を混ぜたものを挙げることができる。
【００３２】
ゴム体１８の素材には、列挙した種々のゴムおよびそれらを混合したものの他に、必要に応じて、無機充填材、軟化剤、加硫剤、加硫促進剤、加硫助剤、発泡剤、顔料等を配し、混練したものでもよい。この場合、ゴム体１８は、所定の形状に押し出し、２００〜２５０℃の加硫層で加硫もしくは発泡した後に、所定の大きさに調整することによって製造できる。
【００３３】
このような一定の柔軟性を有する部材により、階段の前端コーナ部（３４）の外面と屈曲部１４の内面との間の空間がほぼ完全に埋められる。
【００３４】
これによって、昇降時の衝突音を軽減し、防滑性を高めることが可能になり、階段用マット１０の耐久性および耐用性を向上させることが可能になる。
【００３５】
また、一般に、階段を昇降する時に、階段用マット１０は複雑に変形する。この時、ゴム体１８が硬すぎると、ゴム体１８が階段用マット１０の動きに追従できず、階段用マット１０に過剰な負荷がかかることになる。そのため、階段の昇降が繰り返されることによって、階段用マット１０が階段から剥離したり、階段用マット１０が破損するなどの不具合を生じさせる場合がある。
【００３６】
ゴム体１８が、上記のように一定の柔軟性を有することによって、ゴム体１８は、昇降時の階段用マット１０の変形に追従するため、階段用マット１０の変形時にかかる負荷を軽減することができる。したがって、昇降を繰り返すことによって生じる上記の不具合を防止することができ、階段用マット１０の耐久性および耐用性の向上が可能になる。
【００３７】
図３Ａは、階段用マット１０を右下方から仰視した斜視図であり、図３Ｂは、図３Ａに示す斜視図のうち、本発明に特徴的な屈曲部周辺を拡大して示す図である。図３Ａおよび図３Ｂは、踏み込み部１２の下面と、屈曲部１４の内面と、蹴上げ部１６の後面とを示しており、図３Ｂは、図３Ａに示す点線の楕円で囲まれた部分の拡大図である。
【００３８】
踏み込み部１２の下面と蹴上げ部１６の後面とは、本図に示すように、ともに滑らかな平面である。
【００３９】
ゴム体１８は、屈曲部１４の内面にある窪み部２４に位置付けされて、取り付けられている。このように、階段用マット１０におけるゴム体１８の取り付け位置は、窪み部２４によって決められる。そのため、ゴム体１８を容易に階段用マット１０に位置付けることができる。
【００４０】
図４は、階段に取り付けられた階段用マット１０の斜視図であり、図５は、階段に取り付けられた階段用マット１０の側面を拡大して示す図である。これらの図を参照して、階段用マット１０の階段への取り付け態様について説明する。
【００４１】
階段３０は、ＰＣ（Ｐｒｅｃａｓｔ  Ｃｏｎｃｒｅｔｅ）板で作られており、踏み込み面部３２と、前端コーナ部３４と、蹴上げ面部３６と、後端コーナ部３８とを備える。
【００４２】
前端コーナ部３４は、踏み込み面部３２の前端と、後述する蹴上げ面部３６の上端とを接続する部位であり、図４に示されるように、約９０度またはそれより小さい角度で外側に突き出す。前端コーナ部３４の外面は、図５に示されるように、一定の丸みが付けられた曲面を含む。
【００４３】
後端コーナ部３８は、踏み込み面部３２の後端と、後述する蹴上げ面部３６の下端とを接続する部位であり、図４に示されるように、約９０度またはそれより小さい角度で内側に窪んでいる。
【００４４】
階段用マット１０は、図４および図５に示すように、そのゴム体１８および窪み部２４が前端コーナ部３４に沿うように、階段に取り付けられる。これによって、踏み込み部１２は踏み込み面部３２の上面である踏み込み面の一部を覆い、屈曲部１４は前端コーナ部３４の外面を覆い、蹴上げ部１６は蹴上げ面部３６の前面である蹴上げ面の一部を覆う。
【００４５】
固着用素材としての接着剤４０は、踏み込み部１２の下面と、踏み込み面部３２の踏み込み面とを固着する。ここで、接着剤４０は、接着強度が強くかつ比較的安価であるため、エポキシ系のものが好ましいが、これに限定されるものではなく、階段３０の素材と階段用マット１０の素材との間で好適なものが適宜選択されてよい。
【００４６】
ここで、蹴上げ部１６は、階段の蹴上げ部３６に接着されない。屈曲部１４および蹴上げ部１６は、高剛性のゴムからなるため、接着しなくても階段の蹴上げ部３６に密着する。このように蹴上げ部１６を接着しないことにより、施工時の工程を簡単にすることが可能になる。また、施工時の接着剤の使用量が少なくてすむため、施工に掛かる費用を低減させることが可能になる。
【００４７】
なお、踏み込み部１２は、屈曲部１４および蹴上げ部１６に比べて、柔らかいゴムであって、剛性の異なるゴムが一体に構成されてもよく、これによっても上記と同様の効果を奏する。
【００４８】
ゴム体１８は、屈曲部１４の内面と前端コーナ部３４の外面との間に形成される空間を埋める。この空間の形状は、屈曲部１４の内面の形状および前端コーナ部３４の外面に含まれる曲面の形状などによって異なる。ゴム体１８は、一定の柔軟性を有するため、上記の空間の形状に合わせて変形する。そのため、ゴム体１８がその空間を確実に埋めることが可能になる。
【００４９】
このように上記の空間を埋めることによって、防滑性が向上し、昇降時の衝突音が軽減する。さらに、階段用マットに生じる昇降時の剪断力、張力などの負荷を軽減することができ、階段用マットの耐久性および耐用性を向上させることが可能になる。
【００５０】
図６は、階段用マット１０を階段３０に取り付ける第１の取付方法を示すフローチャートである。本図を参照して、階段用マット１０の取付方法の一例について、説明する。
【００５１】
ゴム体１８は、屈曲部１４の窪みに沿って、階段用マット１０に位置付けられ、取り付けられる（Ｓ１１）。
【００５２】
接着剤４０が、階段踏み込み面部３２に塗布される（Ｓ１２）。このとき、階段３０の前端コーナ部３４の上面にも塗布されてもよい。
【００５３】
階段３０において階段用マット１０が取り付けられる位置が決定される（Ｓ１３）。
【００５４】
階段用マット１０が、位置決めステップ（Ｓ１３）において決定された位置に、接着剤４０によって固着される（Ｓ１４）。
【００５５】
以上の手順により、階段用マット１０は階段３０に取り付けられる。
【００５６】
第１の取付方法において、ゴム体１８を階段用マット１０に取り付けるゴム体取付ステップ（Ｓ１１）以外は、階段用マットを階段３０に取り付ける一般的な手順と同様である。ゴム体１８は、窪みに沿わせて位置決めできるため、その位置決めおよび取り付けは、極めて簡単な作業である。本発明によると、このような簡単な作業によって、窪み部２４と前端コーナ部３４との間の空間を確実に埋めることが可能になる。
【００５７】
以上、本発明の一実施の形態について説明したが、本発明はこれに限定されるものではない。
【００５８】
まず、階段用マット１０の階段３０への取付方法は、第１の方法に限られない。
【００５９】
図７は、階段用マット１０を階段３０に取り付ける第２の取付方法を示すフローチャートである。本図を参照して、階段用マット１０の取付方法の他の例について、説明する。
【００６０】
接着剤４０が、階段３０の前端コーナ部３４の外面と、踏み込み面部３２の上面とに塗布される（Ｓ２１）。
【００６１】
ゴム体１８が、前端コーナ部３４の外面に位置付けられ、取り付けられる（Ｓ２２）。
【００６２】
ゴム体１８が、階段用マット１０の屈曲部１４の窪みに位置付けられて取り付けられると同時に、階段用マット１０の階段３０での取り付け位置が決定される（Ｓ２３）。
【００６３】
階段用マット１０が、位置決めステップ（Ｓ２３）において決定された位置に、接着剤４０によって固着される（Ｓ２４）。
【００６４】
第２の取付方法において、塗布ステップ（Ｓ２１）において前端コーナ部３４に接着剤を塗布すること、およびゴム体１８を前端コーナ部３４に取り付けるゴム体取付ステップ（Ｓ２２）以外は、階段用マットを階段３０に取り付ける一般的な手順と同様である。
【００６５】
前端コーナ部３４には、踏み込み面３２の塗布と同時に接着剤を塗布できる。また、ゴム体１８は、前端コーナ部３４に沿って取り付けるだけである。このように、一般的な手順に簡単な作業を追加するだけで、窪み部２４と前端コーナ部３４との間の空間を確実に埋めることが可能になる。
【００６６】
次に、階段用マット１０は、実施の形態の構成に限定されるものではない。
【００６７】
例えば、ゴム体１８は、窪み部２４の内面に接着剤、両面テープなどの固着用素材によって固着されることにより、屈曲部１４の内面に取り付けられても良い。
【００６８】
例えば、窪み部により生成される窪みの形状と、ゴム体の形状とは、実施の形態におけるそれぞれの形状に限定されない。
【００６９】
図８および図９はそれぞれ、第１の変形例および第２の変形例に係る階段用マット１１０および２１０の側面図である。
【００７０】
階段用マット１１０（２１０）はそれぞれ、踏み込み部１１２（２１２）と、屈曲部１１４（２１４）と、蹴上げ部１１６（２１６）と、ゴム体１１８（２１８）とを備える。
【００７１】
踏み込み部１１２（２１２）と、蹴上げ部１１６（２１６）とはそれぞれ、実施の形態の踏み込み部１２と、蹴上げ部１６と同様の部位である。
【００７２】
屈曲部１１４（２１４）は、実施の形態の屈曲部１４と同様に、踏み込み部１１２（２１２）の前方と蹴上げ部１１６（２１６）の上方とに連接されており、約９０度屈曲する部位であり、階段に対向する内面、すなわち、踏み込み部１２の前端から後述する蹴上げ部１６の上端までの内面に窪み部１２４（２２４）を有する。
【００７３】
屈曲部１１４および２１４と実施の形態の屈曲部１４との違いは、窪み部１２４および２１４により形成される窪みの断面形状にあり、それぞれの断面形状は、正方形および三角形である。
【００７４】
ゴム体１１８（２１８）はそれぞれ、実施の形態のゴム体１８と同様に、窪み部１２４（２２４）により形成される窪みに取り付けられる棒状の部材である。ゴム体１１８および２１８はそれぞれ、実施の形態のゴム体１８と異なり、その断面が円形およびハート形または球根形である。
【００７５】
このように、窪み部により生成される窪みの断面形状と、ゴム体の断面形状とは、階段３０の前端コーナ部３４の外面と屈曲部の内面との間の空間の形状に応じて、階段用マットを階段３０に取り付けた場合に上記の空間を埋める任意の形状が選択されればよく、それぞれの断面形状は、上記の他に長方形、星形などでもよい。
【００７６】
例えば、屈曲部の内面に窪みが形成されなくてもよい。
図１０は、第３の変形例に係る階段用マット３１０の側面図である。
【００７７】
踏み込み部３１２と、蹴上げ部３１６とはそれぞれ、実施の形態の踏み込み部１２と、蹴上げ部１６と同様の部位である。
【００７８】
屈曲部３１４は、実施の形態の屈曲部１４と同様に、踏み込み部３１２の前方と蹴上げ部３１６の上方とに連接されており、約９０度屈曲する部位である。
【００７９】
屈曲部３１４は、実施の形態の屈曲部１４と異なり、自身の内面に窪みを形成する窪み部２２４を有さない。
【００８０】
ゴム体３１８は、実施の形態のゴム体１８と同様に、屈曲部３１４の内面に取り付けられる棒状の部材である。ゴム体２１８は、実施の形態のゴム体１８と異なり、その断面が、屈曲部３１４の内面と階段３０の前端コーナ部３４の外面とのそれぞれに沿う形状である。
【００８１】
このように、階段３０の前端コーナ部３４の外面と屈曲部３１４の内面とのそれぞれの形状に応じた、ゴム体の断面形状が選択されてもよい。
【００８２】
以上の第１の変形例から第３の変形例のような、ゴム体の断面形状が同一の棒状で柔軟性を有するゴム体３１８は、実施の形態のゴム体１８と同様に、屈曲部の内面および前端コーナ部の外面の間の形状に合わせて変形する。そのため、前端コーナ部の外面と屈曲部の内面との間の空間を確実に埋めることができる。
【００８３】
したがって、これら変形例においても、防滑性が向上し、衝突音が軽減するだけでなく、階段用マットに生じる昇降時の剪断力などの負荷を軽減することができ、階段用マットの耐久性および耐用性を向上させることが可能になる。
【００８４】
例えば、目印部２２の蓄光性を有する部材は、一定間隔または両端部に配置され、その他は蓄光性を有しない部材であってもよい。また、目印部２２は、全幅にわたることとしたが、一定間隔、両端部のみなどでもよい。
【００８５】
例えば、階段３０の素材はＰＣ板であるとしたが、これに限られず、金属、木板等であってもよい。
【００８６】
例えば、階段用マットは、階段の踏み込み面部および蹴上げ面部の一方または両方の全てを覆うように取り付けられてもよい。
【００８７】
例えば、階段用マットの蹴上げ部１６の後面と、階段３０の蹴上げ面部３６の蹴上げ面とは、接着剤などの貼付用素材によって固着されてもよい。これにより、階段用マット１０を階段から剥がれ難くすることができる。
【００８８】
例えば、踏み込み部１２の下面および蹴上げ部１６の後面は、ともに滑らかな平面であるとしたが、接着力が強化する模様、安定する模様が形成されていてもよい。
【００８９】
例えば、実施の形態では、固着用素材として接着剤４０を使用する場合を例に説明したが、接着剤４０の他に、両面テープ、粘着剤などのいずれかで固着されてもよく、階段３０の素材と階段用マット１０の素材との間で好適なものが適宜選択されてよい。この場合、図６に示す塗布ステップ（Ｓ１２）および図７に示す塗布ステップ（Ｓ２１）において、両面テープが取り付けられ、または粘着剤が塗布される。
【００９０】
また例えば、ゴム体１８を階段用マット１０に取り付けるために、固着用素材を使用する場合も同様に、接着剤の他に両面テープ、粘着剤などのいずれかで固着されてもよく、階段３０の素材とゴム体１８の素材との間で好適なものが適宜選択されてよい。
【００９１】
この場合、図６に示すゴム体取付ステップ（Ｓ１１）において、または図７に示すゴム体取付ステップ（Ｓ２２）と位置決めステップ（Ｓ２３）との間において、屈曲部１４の内面またはゴム体１８に接着剤が塗布され、両面テープが取り付けられ、または粘着剤が塗布される。
【００９２】
このように、ゴム体１８を屈曲部１４に取り付ける場合に、両面テープ、接着剤などを使用するか否かについて、ゴム体１８および屈曲部１４の素材、および階段用マット１０の階段３０への取付方法などを考慮して、階段用マット１０における適切なゴム体１８の取付方法と階段用マット１０の階段３０への取付方法とを決定することができる。
【産業上の利用可能性】
【００９３】
本発明は、階段に取り付ける階段用マット、およびそれを施工する方法に適用できる。
【図面の簡単な説明】
【００９４】
【図１】階段用マットを左上方から俯瞰した斜視図である。
【図２】階段用マットの側面図である。
【図３Ａ】階段用マットを右下方から仰視した斜視図である。
【図３Ｂ】図３Ａに示す斜視図のうち、本発明に特徴的な屈曲部周辺を拡大して示す図である。
【図４】階段に取り付けられた階段用マットの斜視図である。
【図５】階段に取り付けられた階段用マットの側面を拡大して示す図である。
【図６】階段用マットを階段に取り付ける第１の取付方法を示すフローチャートである。
【図７】階段用マットを階段に取り付ける第２の取付方法を示すフローチャートである。
【図８】第１の変形例に係る階段用マットの側面図である。
【図９】第２の変形例に係る階段用マットの側面図である。
【図１０】第３の変形例に係る階段用マットの側面図である。
【符号の説明】
【００９５】
１０、１１０、２１０、３１０  階段用マット
１２、１１２、２１２、３１２  踏み込み部
１４、１１４、２１４、３１４  屈曲部
１６、１１６、２１６、３１６  蹴上げ部
１８、１１８、２１８、３１８  ゴム体
２４、１２４、２２４  窪み部
２０  防滑部
２２  目印部
３０  階段
３２  踏み込み面部
３４  前端コーナ部
３６  蹴上げ面部
３８  接続部
４０  接着剤
【図１】
2009144333.tif 000003
【図２】
2009144333.tif 000004
【図３Ａ】
2009144333.tif 000005
【図３Ｂ】
2009144333.tif 000006
【図４】
2009144333.tif 000007
【図５】
2009144333.tif 000008
【図６】
2009144333.tif 000009
【図７】
2009144333.tif 000010
【図８】
2009144333.tif 000011
【図９】
2009144333.tif 000012
【図１０】
2009144333.tif 000013